(57)【要約】【課題】開示の技術は、上記に鑑みてなされたものであって、情報処理装置の充電に関する状態を正確に把握できる制御装置及び制御システムを提供することを目的とする。【解決手段】制御装置は、一つの態様において、情報処理装置に接続される第１のコネクタ部と前記第１のコネクタ部の反対側に設けられた第２のコネクタ部とを有し前記第１のコネクタ部に第１の表示灯が配されたケーブルにおける前記第２のコネクタ部が接続可能であるインタフェース部と、前記情報処理装置から前記ケーブル及び前記インタフェース部を介して前記情報処理装置の充電に関する状態を示す第１の情報を取得し、前記第１の情報に応じて前記第１の表示灯を点灯制御する制御回路とを有する。【選択図】図２
2020089217.tif 000002
【特許請求の範囲】
【請求項１】
情報処理装置に接続される第１のコネクタ部と前記第１のコネクタ部の反対側に設けられた第２のコネクタ部とを有し前記第１のコネクタ部に第１の表示灯が配されたケーブルにおける前記第２のコネクタ部が接続可能であるインタフェース部と、
前記情報処理装置から前記ケーブル及び前記インタフェース部を介して前記情報処理装置の充電に関する状態を示す第１の情報を取得し、前記第１の情報に応じて前記第１の表示灯を点灯制御する制御回路と、
を備えた制御装置。
【請求項２】
前記第１のコネクタ部には、第２の表示灯がさらに配され、
前記制御回路は、前記情報処理装置から前記ケーブル及び前記インタフェース部を介して前記第１の情報と第２の情報とを取得し、
前記第２の情報は、前記情報処理装置の充電に関する他の状態を示し、
前記制御回路は、前記第１の情報に応じて前記第１の表示灯を点灯制御するとともに前記第２の情報に応じて前記第２の表示灯を点灯制御する
請求項１に記載の制御装置。
【請求項３】
前記制御回路は、複数の点灯形態のうち前記第１の情報で示される状態に対応する点灯形態で前記第１の表示灯を点灯制御する
請求項１に記載の制御装置。
【請求項４】
前記制御回路は、複数の点灯形態のうち前記第１の情報で示される状態に対応する点灯形態で前記第１の表示灯を点灯制御し、複数の点灯形態のうち前記第２の情報で示される状態に対応する点灯形態で前記第２の表示灯を点灯制御する
請求項２に記載の制御装置。
【請求項５】
前記第１の表示灯は、前記ケーブルにおける定電源が供給される第１のラインにアノードが接続された第１の発光ダイオードを有し、
前記制御回路は、前記第１のラインに定電源を供給して前記第１の発光ダイオードを点灯制御する
請求項１に記載の制御装置。
【請求項６】
前記インタフェース部は、第１の端子を有し、
前記制御回路は、前記第１の端子をグランド電位に接続するスイッチを有し、前記第１の発光ダイオードのカソードが前記第１の端子に電気的に接続された場合、前記スイッチをオンオフ制御して前記第１の発光ダイオードを点灯制御する
請求項５に記載の制御装置。
【請求項７】
前記第１のラインは、前記ケーブルのケイパビリティ情報が格納されたメモリが配され、前記メモリ及び前記第１の発光ダイオードに定電源を供給するためのラインとして兼用される
請求項５に記載の制御装置。
【請求項８】
前記制御回路は、前記インタフェース部に接続される前記第２のコネクタ部の向きを検出し、検出された向きに基づいて、前記第１の情報に応じた前記第１の表示灯の点灯制御と前記第２の情報に応じた前記第２の表示灯の点灯制御とを維持する
請求項４に記載の制御装置。
【請求項９】
前記第１の表示灯は、前記ケーブルにおける定電源が供給される第１のラインにアノードが接続された第１の発光ダイオードを有し、
前記第２の表示灯は、前記第１のラインにアノードが接続された第２の発光ダイオードを有し、
前記制御回路は、前記第１のラインに定電源を供給して前記第１の発光ダイオード及び前記第２の発光ダイオードのそれぞれを点灯制御する
請求項４に記載の制御装置。
【請求項１０】
前記インタフェース部は、第１の端子及び第２の端子を有し、
前記制御回路は、前記第１の端子をグランド電位に接続する第１のスイッチと前記第２の端子をグランド電位に接続する第２のスイッチとを有し、
前記制御回路は、前記第１の発光ダイオードのカソードが前記第１の端子に電気的に接続され前記第２の発光ダイオードのカソードが前記第２の端子に電気的に接続された場合、前記第１の情報に応じて前記第１のスイッチをオンオフ制御して前記第１の発光ダイオードを点灯制御するとともに前記第２の情報に応じて前記第２のスイッチをオンオフ制御して前記第２の発光ダイオードを点灯制御し、前記第１の発光ダイオードのカソードが前記第２の端子に電気的に接続され前記第２の発光ダイオードのカソードが前記第１の端子に電気的に接続された場合、前記第１の情報に応じて前記第２のスイッチをオンオフ制御して前記第１の発光ダイオードを点灯制御するとともに前記第２の情報に応じて前記第１のスイッチをオンオフ制御して前記第２の発光ダイオードを点灯制御する
請求項９に記載の制御装置。
【請求項１１】
請求項１から１０のいずれか１項に記載の制御装置と、
情報処理装置が接続される第１のコネクタ部と前記第１のコネクタ部の反対側に設けられ前記制御装置が接続される第２のコネクタ部とを有し前記第１のコネクタ部に第１の表示灯が配されたケーブルと、
を備えた制御システム。
【発明の詳細な説明】
【技術分野】
【０００１】
本発明は、制御装置及び制御システムに関する。
【背景技術】
【０００２】
パーソナルコンピュータ等の情報処理装置に対して給電可能なケーブルが接続されることがある。このケーブルにより、情報処理装置への給電及び充電を行うことができる。
【先行技術文献】
【特許文献】
【０００３】
【特許文献１】特開２００３−２４８５３４号公報
【発明の概要】
【発明が解決しようとする課題】
【０００４】
しかし、ケーブルの接続ミスなどにより情報処理装置への充電が不十分であると、使いたいときに情報処理装置を使用できない可能性がある。情報処理装置の充電に関する状態を正確に把握することが望まれる。
【０００５】
開示の技術は、上記に鑑みてなされたものであって、情報処理装置の充電に関する状態を正確に把握できる制御装置及び制御システムを提供することを目的とする。
【課題を解決するための手段】
【０００６】
本願の開示する制御装置は、一つの態様において、情報処理装置に接続される第１のコネクタ部と前記第１のコネクタ部の反対側に設けられた第２のコネクタ部とを有し前記第１のコネクタ部に第１の表示灯が配されたケーブルにおける前記第２のコネクタ部が接続可能であるインタフェース部と、前記情報処理装置から前記ケーブル及び前記インタフェース部を介して前記情報処理装置の充電に関する状態を示す第１の情報を取得し、前記第１の情報に応じて前記第１の表示灯を点灯制御する制御回路とを有する。
【０００７】
本願の開示する制御システムは、一つの態様において、上記の制御装置と、情報処理装置が接続される第１のコネクタ部と前記第１のコネクタ部の反対側に設けられ前記制御装置が接続される第２のコネクタ部とを有し前記第１のコネクタ部に第１の表示灯が配されたケーブルとを有する。
【発明の効果】
【０００８】
本願の開示する制御装置の一つの態様によれば、情報処理装置の充電に関する状態を正確に把握できる。
【図面の簡単な説明】
【０００９】
【図１】図１は、実施形態にかかる制御システムにおける充電キャビネットの外観構成を示す図である。
【図２】図２は、実施形態にかかる制御システムの回路構成を示す図である。
【図３】図３は、実施形態にかかる制御システムの回路構成（コネクタ部が逆向きに接続された場合の構成）を示す図である。
【図４】図４は、実施形態におけるインタフェース部及びコネクタ部の端子構成を示す図である。
【図５】図５は、実施形態にかかる制御システムの動作（表示灯を点灯制御する動作）を示す図である。
【図６】図６は、実施形態にかかる制御システムの動作（他の表示灯を点灯制御する動作）を示す図である。
【図７】図７は、実施形態にかかる制御システムの動作を示すフローチャートである。
【図８】図８は、実施形態の変形例にかかる制御システムの接続構成を示す図である。
【発明を実施するための形態】
【００１０】
以下に、本願の開示する制御システムの実施形態を図面に基づいて詳細に説明する。なお、この実施形態により開示技術が限定されるものではない。また、実施形態において同一の機能を有する構成には同一の符号を付し、重複する説明は省略される。
【００１１】
（実施形態）
実施形態にかかる制御システムは、充電キャビネットにおけるパーソナルコンピュータ等の情報処理装置に対する充電を制御する。パーソナルコンピュータは、携帯可能なタブレット型のコンピュータ及び電子ペーパー等を含む。充電キャビネットにおいて、パーソナルコンピュータ等の情報処理装置に対して給電可能なケーブルが接続されることがある。給電可能なケーブルは、ＵＳＢ（Ｕｎｉｖｅｒｓａｌ  Ｓｅｒｉａｌ  Ｂｕｓ）ケーブルであってもよく、ＵＳＢ−Ｃ規格に準拠したＵＳＢ  Ｔｙｐｅ−Ｃケーブルであってもよい。このケーブルによれば、情報処理装置に対する情報の通信とともに情報処理装置への給電及び充電を行うことができる。ＵＳＢ  Ｔｙｐｅ−ＣケーブルにおけるＵＳＢ  Ｔｙｐｅ−Ｃコネクタ（又はＵＳＢ−Ｃコネクタ）は、薄型の汎用コネクタでありながら、ＵＳＢ／ＤｉｓｐｌａｙＰｏｒｔ信号及び電源をサポートしており、情報処理装置と制御装置との接続を効率的に実現可能なインタフェースである。このケーブルにより、情報処理装置に対する情報の通信とともに情報処理装置への給電及び充電を集約的に行うことができる。
【００１２】
例えば、学校など、まとまった台数の情報処理装置を運用する現場では、図１（ａ）に示すような、充電キャビネット１００が用いられることがある。図１（ａ）は、充電キャビネット１００の外観構成を示す斜視図であり、図１（ｂ）は、図１（ａ）のＡ部分を拡大した斜視図である。
【００１３】
図１（ａ）及び図１（ｂ）に示すように、充電キャビネット１００は、制御装置１、複数の収容空間１０１−１〜１０１−ｎ（ｎは任意の２以上の整数）及び複数のケーブル１０−１〜１０−ｎを有する。各収容空間１０１−１〜１０１−ｎは、情報処理装置２０を収容可能な空間である。複数のケーブル１０−１〜１０−ｎは、複数の収容空間１０１−１〜１０１−ｎに対応して配され、対応する収容空間１０１に収容された情報処理装置２０に対して接続可能である。各ケーブル１０は、給電可能なケーブル（例えば、ＵＳＢケーブル）であり制御装置１に電気的に接続されている。制御装置１は、各ケーブル１０を介して対応する情報処理装置２０に電力を供給して充電可能である。すなわち、制御装置１及び複数のケーブル１０−１〜１０−ｎは、複数の情報処理装置２０の充電を制御するための制御システム３０を構成する。
【００１４】
この制御システム３０では、複数のケーブル１０が複数の情報処理装置２０に接続されれば、制御装置１から複数のケーブル１０経由で複数の情報処理装置２０を一斉に充電することが可能である。
【００１５】
しかしながら、充電キャビネット１００を使用した際に、次の（１）（２）のような問題が現場で発生する可能性がある。
（１）使用者が情報処理装置２０を充電キャビネット１００に収納するときにケーブル１０の接続ミス（挿入の失敗）が起きることがある。
（２）使用者が充電キャビネット１００から情報処理装置２０を取り出して使おうとしたときに情報処理装置２０が充電できていないことがある（充電キャビネット１００から情報処理装置２０を取り出す際に、情報処理装置２０の充電状態がわからない）。
【００１６】
これに対して、情報処理装置２０のＵＳＢポート近くに充電に関する状態（例えば、充電の有無、バッテリ残量など）を示すＬＥＤ等の表示灯を配置することが考えられる。この場合、情報処理装置２０の小型化・薄型軽量化への影響が大きい。また、ＵＳＢポートとＡＣアダプタのジャックとの両方を有する情報処理装置２０に置いて、ＵＳＢポートとＡＣアダプタのジャックが筐体の離れた位置にあるため、表示灯の配置に困る。
【００１７】
一方、各ケーブル１０における情報処理装置２０側のコネクタ部に表示灯を配し、ケーブル１０における電源用のラインを流れる電流値が所定の値を超えたか否かでそのコネクタ部の表示灯を点灯制御することが考えられる。この場合、情報処理装置２０へ給電が行われていれば、情報処理装置２０で充電が行われていなくても、コネクタ部の表示灯が点灯される。このとき、コネクタ部の表示灯が点灯されるか否かで情報処理装置２０の充電に関する状態を把握することが困難である。すなわち、現場において、使用者が一目で情報処理装置２０の充電に関する状態を認識できることが望まれる。
【００１８】
そこで、本実施形態では、制御システム３０において、ケーブル１０を介して情報処理装置２０から充電に関する状態を示す情報を取得し、その情報に応じてケーブル１０における情報処理装置２０側のコネクタ部の表示灯を点灯制御することで、情報処理装置２０の充電に関する状態を正確に把握できるようにする。
【００１９】
具体的には、制御システム３０は、制御装置１及び複数のケーブル１０−１〜１０−ｎを有する。複数のケーブル１０−１〜１０−ｎは、複数の情報処理装置２０−１〜２０−ｎに対応している。各ケーブル１０−１〜１０−ｎは、対応する情報処理装置２０に接続される。制御システム３０は、図２に示すように構成され得る。図２は、制御システム３０の回路構成を示す図である。図２では、制御装置１が１つのケーブル１０を介して１つの情報処理装置２０に接続された構成が例示されている。
【００２０】
ケーブル１０は、コネクタ部１１、コネクタ部１２、及びワイヤ部１３を有する。コネクタ部１１は、情報処理装置２０に接続される。コネクタ部１１には、複数の表示灯１１１，１１２が配されている（図１（ｂ）参照）。コネクタ部１２は、ケーブル１０におけるコネクタ部１１の反対側に設けられている。
【００２１】
制御装置１は、インタフェース部６及び制御回路９を有する。インタフェース部６は、ケーブル１０におけるコネクタ部１２が接続可能である。
【００２２】
ここで、情報処理装置２０は、インタフェース部２６及び制御回路２９を有する。制御回路２９は、バッテリ２５の充電を制御するとともにバッテリ２５の充電に関する状態（充電の有無、バッテリ残量など）を監視する。制御回路２９は、監視結果に応じて、第１の情報及び第２の情報をインタフェース部２６、ケーブル１０経由で制御装置１へ送信する。第１の情報は、例えば、充電の有無に関する情報である。第２の情報は、例えば、バッテリ残量に関する情報である。
【００２３】
制御装置１における制御回路９は、情報処理装置２０からケーブル１０及びインタフェース部６を介して情報処理装置２０の充電に関する状態を示す第１の情報と第２の情報とを取得する。制御回路９は、第１の情報に応じて表示灯１１１を点灯制御し、第２の情報に応じて表示灯１１２を点灯制御する。
【００２４】
制御回路９は、複数の点灯形態のうち第１の情報で示される状態に対応する点灯形態で表示灯１１１を点灯制御し、複数の点灯形態のうち第２の情報で示される状態に対応する点灯形態で表示灯１１２を点灯制御する。
【００２５】
例えば、制御回路９は、表示灯１１１を、点灯させることで情報処理装置２０におけるバッテリ２５が充電中であることを明示でき、消灯させることで情報処理装置２０におけるバッテリ２５が非充電中であることを明示できる。制御回路９は、表示灯１１２を、点灯させることで情報処理装置２０におけるバッテリ２５のバッテリ残量が許容レベル以上（例えば、５０％以上）であることを明示でき、消灯させることで情報処理装置２０におけるバッテリ２５のバッテリ残量が許容レベル未満であることを明示できる。
【００２６】
ケーブル１０において、表示灯１１１は、ＬＥＤ１（発光ダイオード）を有し、表示灯１１２は、ＬＥＤ２（発光ダイオード）を有する。ＬＥＤ１は、アノードがラインＬＶｃｏｎｎに電気的に接続され、カソードがコネクタ部１２における端子Ａ８’に電気的に接続されている。ＬＥＤ２は、アノードがラインＬＶｃｏｎｎに電気的に接続され、カソードがコネクタ部１２における端子Ｂ８’に電気的に接続されている。ラインＬＶｃｏｎｎは、ケーブルのケイパビリティ情報が格納されたメモリが配され、メモリ及びＬＥＤ１，ＬＥＤ２に定電源を供給するためのラインとして兼用される。
【００２７】
制御装置１において、インタフェース部６は、端子Ａ８，Ｂ８を有する。制御回路９は、スイッチ４とスイッチ５とを有する。スイッチ４は、ＦＥＴ１を有し、スイッチ５は、ＦＥＴ２を有する。制御回路９は、スイッチ４をオンさせることで端子Ａ８をグランド電位に接続し、スイッチ４をオフさせることで端子Ａ８をグランド電位から電気的に遮断する。制御回路９は、スイッチ５をオンさせることで端子Ｂ８をグランド電位に接続し、スイッチ５をオフさせることで端子Ｂ８をグランド電位から電気的に遮断する。
【００２８】
また、制御回路９は、インタフェース部６に接続されるコネクタ部１２の向きを検出し、検出された向きに基づいて、第１の情報に応じた表示灯１１１の点灯制御と第２の情報に応じた表示灯１１２の点灯制御とを維持する。
【００２９】
例えば、インタフェース部６は、端子Ａ８，Ｂ８に加えて、端子Ａ５，Ｂ５を有する。コネクタ部１２は、端子Ａ８，Ｂ８に対応した端子Ａ８’，Ｂ８’を有し、端子Ａ５，Ｂ５に対応した端子Ａ５’，Ｂ５’を有する。
【００３０】
制御回路９は、端子Ａ５’が端子Ａ５に接続され端子Ｂ５’が端子Ｂ５に接続されていることを検出した場合、インタフェース部６に接続されるコネクタ部１２の向きが図２の向きであると検出する。コネクタ部１２が図２の向きでインタフェース部６に接続された場合、すなわち、ＬＥＤ１のカソードが端子Ａ８’経由で端子Ａ８に電気的に接続されＬＥＤ２のカソードが端子Ｂ８’経由で端子Ｂ８に電気的に接続された場合、制御回路１は、第１の情報に応じてスイッチ４をオンオフ制御してＬＥＤ１を点灯制御するとともに第２の情報に応じてＬＥＤ２をオンオフ制御してＬＥＤ２を点灯制御する。これにより、制御回路９は、第１の情報に応じて表示灯１１１を点灯制御し、第２の情報に応じて表示灯１１２を点灯制御する。
【００３１】
制御回路９は、端子Ｂ５’が端子Ａ５に接続され端子Ａ５’が端子Ｂ５に接続されていることを検出した場合、インタフェース部６に接続されるコネクタ部１２の向きが図３の向きであると検出する。コネクタ部１２が図３の向きでインタフェース部６に接続された場合、すなわち、ＬＥＤ１のカソードが端子Ａ８’経由で端子Ｂ８に電気的に接続されＬＥＤ２のカソードが端子Ｂ８’経由で端子Ａ８に電気的に接続された場合、第１の情報に応じてスイッチ５をオンオフ制御してＬＥＤ１を点灯制御するとともに第２の情報に応じてスイッチ４をオンオフ制御してＬＥＤ２を点灯制御する。これにより、制御回路９は、第１の情報に応じて表示灯１１１を点灯制御し、第２の情報に応じて表示灯１１２を点灯制御する。
【００３２】
例えば、充電キャビネット１００の制御装置１で情報処理装置２０の給電状態やバッテリ残量状態を取得し、ケーブル１０のコネクタ部に配置した表示灯（例えば、ＬＥＤ）を制御する。このとき、ケーブル１０は、ＵＳＢ−Ｃ規格に準拠したＵＳＢ  Ｔｙｐｅ−Ｃケーブルであってもよい。ＵＳＢ−Ｃ規格におけるＴｙｐｅ−Ｃ  Ｐｏｗｅｒ  Ｄｅｌｉｖｅｒｙ（以下、Ｔｙｐｅ−Ｃ／ＰＤ）の仕様書には、ＶＤＭ（Ｖｅｎｄｏｒ  Ｄｅｆｉｎｅ  Ｍｅｓｓａｇｅ）プロトコルを使って、ＵＳＢ  Ｔｙｐｅ−ＣケーブルのＣＣ（Ｃｏｎｆｉｇｕｒａｔｉｏｎ  Ｃｈａｎｎｅｌ）信号線上で通信する手段が規定されている。また、ＵＳＢ  Ｔｙｐｅ−Ｃコネクタには、ＳＢＵ（Ｓｉｄｅ  Ｂａｎｄ  Ｕｓｅ）というピン（例えば、ピンＳＢＵ１，ＳＢＵ２）があり、制御装置１は、当該ＳＢＵピンを表示灯の点灯制御に活用する。SBUピンはDisplayPort機能などをサポートする際に使用するピンであり、充電キャビネット１００のような充電を主として情報処理装置においては使用しない。情報処理装置２０のシステムにＭＣＵ（Ｍｉｃｒｏ  Ｃｏｎｔｒｏｌ  Ｕｎｉｔ）を搭載し、充電制御回路（ＢａｔｔｅｒｙＣｈａｒｇｅｒ／ＦｕｅｌＧａｕｇｅ）２４から情報処理装置２０の給電状態及びバッテリ残量状態を取得し、Ｔｙｐｅ−Ｃ／ＰＤ  Ｃｏｎｔｒｏｌｌｅｒ経由で、充電キャビネット１００における制御装置１へ通信させる（すなわち、ＶＤＭ通信を行う）。また、充電キャビネット１００における制御装置１のシステムにＭＣＵを搭載し、ＶＤＭ通信で受け取った情報処理装置２０の給電状態やバッテリ残量状態を受けて、ＭＣＵ２がＧＰＩＯ（Ｇｅｎｅｒａｌ  Ｐｕｒｐｏｓｅ  Ｉｎｐｕｔ  Ｏｕｔｐｕｔ）でピンＳＢＵ１、ＳＢＵ２とグランド電位とを接続し、ピンＳＢＵ１、ＳＢＵ２に電気的に接続されたケーブル１０のコネクタ部１１における表示灯１１１，１１２の一端（例えば、ＬＥＤのカソード）をグランド電位に接続することで表示灯１１１，１１２の点灯／消灯（例えば、ＬＥＤのＯＮ／ＯＦＦ）を制御する。
【００３３】
なお、ケーブル１０のコネクタ部１１に複数の表示灯１１１，１１２を配置してもよい。ＵＳＢ  Ｔｙｐｅ−Ｃコネクタは表裏どちらでも挿入できるインタフェースだが、表裏の挿入情報はＴｙｐｅ−Ｃ／ＰＤ  Ｃｏｎｔｒｏｌｌｅｒ３が把握しているので、充電キャビネット１００のＭＣＵ２からＴｙｐｅ−Ｃ／ＰＤ  Ｃｏｎｔｒｏｌｌｅｒ３に問い合わせることで、複数の表示灯１１１，１１２のそれぞれについて、複数のＧＰＩＯのどちらで制御するか切り替えることができる。制御装置１において、制御回路９は、ＭＣＵ２、ＰＤコントローラ３、スイッチ４、スイッチ５、ＵＳＢ／Ｇｆｘ回路７、及び電源回路８を有する。ケーブル１０がＵＳＢ  Ｔｙｐｅ−Ｃケーブルである場合、インタフェース部６は、図４（ａ）に示すようなＵＳＢ  Ｔｙｐｅ−Ｃに対応した端子Ａ１〜Ａ１２，Ｂ１〜Ｂ１２を有する。図４（ａ）は、インタフェース部６の端子構成を示す図である。例えば、端子Ａ５は、ＣＣ（Ｃｏｎｆｉｇｕｒａｔｉｏｎ  Ｃｈａｎｎｅｌ）信号線又は定電源Ｖｃｏｎｎ線に対応したピンＣＣ１である。端子Ｂ５は、ＣＣ信号線又は定電源Ｖｃｏｎｎ線に対応したピンＣＣ２である。端子Ａ８は、表示灯の点灯制御に使用されるピンＳＢＵ１である。端子Ｂ８は、表示灯の点灯制御に使用されるピンＳＢＵ２である。
【００３４】
図２に示すケーブル１０は、コネクタ部１１、コネクタ部１２、及びワイヤ部１３を有する。コネクタ部１１は、ケーブル１０における情報処理装置２０側のコネクタ部である。コネクタ部１２は、ケーブル１０における制御装置１側のコネクタ部である。ワイヤ部１３は、コネクタ部１１及びコネクタ部１２を互いに接続している。
【００３５】
コネクタ部１２は、コネクタ本体１２ａ及びケーブルコネクタ基板１２ｂを有する。コネクタ本体１２ａは、インタフェース部６に対応した端子構成を有し、図４（ｂ）に示すようなＵＳＢ  Ｔｙｐｅ−Ｃに対応した端子Ａ１’〜Ａ１２’，Ｂ１’〜Ｂ１２’を有する。図４（ｂ）は、コネクタ部１２（コネクタ本体１２ａ）の端子構成を示す図である。例えば、端子Ａ５’は、ＣＣ信号線又は定電源Ｖｃｏｎｎ線に対応したピンＣＣである。端子Ｂ５’は、定電源Ｖｃｏｎｎ線又はＣＣ信号線に対応したピンＶｃｏｎｎである。端子Ａ８’は、DisplayPort機能などをサポートする際に使用するピンＳＢＵ１である。端子Ｂ８’は、DisplayPort機能などをサポートする際に使用するピンであるピンＳＢＵ２である。
【００３６】
コネクタ部１１は、コネクタ本体１１ａ、ケーブルコネクタ基板１１ｂ、表示灯１１１、表示灯１１２、抵抗素子１１３、抵抗素子１１３、整流素子１１５、整流素子１１６、ＥＭＣＡ（Ｅｌｅｃｔｒｏｎｉｃａｌｌｙ  Ｍａｒｋｅｄ  Ｃａｂｌｅ  Ａｓｓｅｍｂｌｙ）１１７を有する。表示灯１１１は、ＬＥＤ１を有し、表示灯１１２は、ＬＥＤ２を有する。整流素子１１５は、ダイオードＤ１を有し、整流素子１１６は、ダイオードＤ２を有する。
【００３７】
コネクタ本体１１ａは、インタフェース部２６に対応した端子構成を有し、図４（ｂ）に示すようなＵＳＢ  Ｔｙｐｅ−Ｃに対応した端子Ａ１’〜Ａ１２’，Ｂ１’〜Ｂ１２’を有する。例えば、端子Ａ５’は、ＣＣ信号線又は定電源Ｖｃｏｎｎ線に対応したピンＣＣである。端子Ｂ５’は、定電源Ｖｃｏｎｎ線又はＣＣ信号線に対応したピンＶｃｏｎｎである。端子Ａ８’は、表示灯の点灯制御に使用されるピンＳＢＵ１である。端子Ｂ８’は、表示灯の点灯制御に使用されるピンＳＢＵ２である。
【００３８】
ＬＥＤ１は、アノードが抵抗素子１１３、共通ノードＮｃｏｍ、ダイオードＤ１又はダイオードＤ２経由で定電源線ＬＶｃｏｎｎに電気的に接続され、カソードが制御線Ｌ１経由でコネクタ部１２の端子Ａ８’に電気的に接続されている。制御線Ｌ１は、ケーブルコネクタ基板１１ｂからワイヤ部１３及びケーブルコネクタ基板１２ｂを通ってコネクタ本体１２ａまで延びている。ＬＥＤ２は、アノードが抵抗素子１１４、共通ノードＮｃｏｍ、ダイオードＤ１又はダイオードＤ２経由で定電源線ＬＶｃｏｎｎに電気的に接続され、カソードが制御線Ｌ２経由でコネクタ部１２の端子Ｂ８’に電気的に接続されている。制御線Ｌ２は、ケーブルコネクタ基板１１ｂからワイヤ部１３及びケーブルコネクタ基板１２ｂを通ってコネクタ本体１２ａまで延びている。ＥＭＣＡ１１７は、第１の電源ノードが定電源線ＬＶｃｏｎｎを介してコネクタ部１２の端子Ｂ５’に電気的に接続され、第２の電源ノードが定電源線ＬＶｃｏｎｎを介してコネクタ部１１の端子Ｂ５’に電気的に接続されている。ＥＭＣＡ１１７は、信号ノードが信号線Ｌｃｃを介してコネクタ部１２の端子Ａ５’及びコネクタ部１１の端子Ａ５’にそれぞれ接続されている。
【００３９】
情報処理装置２０は、インタフェース部２６及び制御回路２９を有する。制御回路２９は、検出回路２１、ＭＣＵ２２、ＰＤコントローラ２３、充電制御回路２４、バッテリ２５、ＵＳＢ／Ｇｆｘ回路２７、及び電源回路２８を有する。ケーブル１０がＵＳＢ  Ｔｙｐｅ−Ｃケーブルである場合、インタフェース部２６は、図４（ａ）に示すようなＵＳＢ  Ｔｙｐｅ−Ｃに対応した端子Ａ１〜Ａ１２，Ｂ１〜Ｂ１２を有する。例えば、端子Ａ５は、ＣＣ（Ｃｏｎｆｉｇｕｒａｔｉｏｎ  Ｃｈａｎｎｅｌ）信号線又は定電源Ｖｃｏｎｎ線に対応したピンＣＣ１である。端子Ｂ５は、ＣＣ信号線又は定電源Ｖｃｏｎｎ線に対応したピンＣＣ２である。端子Ａ８は、DisplayPort機能などをサポートする際に使用するピンであるピンＳＢＵ１である。端子Ｂ８は、DisplayPort機能などをサポートする際に使用するピンであるピンＳＢＵ２である。
【００４０】
より具体的には、ＵＳＢ  Ｔｙｐｅ−Ｃケーブル１０のインタフェースは、図２に示す通り、通常、（１）挿抜・表裏・端末情報を通信するＣＣピン、（２）ＵＳＢやＧｆｘの信号回路、（３）電源回路の３構成から成る。通常のＵＳＢ  Ｔｙｐｅ−Ｃケーブル１０には、前述の通り、ＬＥＤを搭載し情報処理装置の状態に応じてＬＥＤを制御するようなインタフェースは存在しない。そこで、図２のように、充電キャビネット１００では使用しないＵＳＢ  Ｔｙｐｅ−ＣのＳＢＵというピンに着目し、このピン経由でＬＥＤ１，ＬＥＤ２を制御する方法を考える。ＬＥＤ１，ＬＥＤ２は２つのステータスを表現できるよう（例えば電源供給状態（ＬＥＤ１）とバッテリ残量状態（ＬＥＤ２）の２つ）設ける。ＬＥＤ１，ＬＥＤ２を制御する電源として、Ｖｃｏｎｎという電源を使用する。Ｖｂｕｓ電源はＴｙｐｅ−Ｃケーブル１０の両端に接続される端末により、電圧が５〜２０Ｖまで可変なため、ＬＥＤ１，ＬＥＤ２の制御には適当でない。Ｖｃｏｎｎ電源であれば、基本的に５Ｖのため、ＬＥＤ１，ＬＥＤ２を制御しやすい。Ｖｃｏｎｎは、Ｔｙｐｅ−Ｃケーブル１０に接続されたどちら側から供給されるか一意に決まらない（両端の端末のネゴシエーションにより決定）のため、どちらから電源が供給されてもＬＥＤ１，ＬＥＤ２に電源が供給できるよう、ダイオードＤ１とダイオード１１５ｂの両方から給電できるようにする。
【００４１】
また、Ｔｙｐｅ−Ｃケーブル１０は、表裏どちら向きにも接続できる特徴がある。それを順接続・逆接続と呼ぶことがある。図２の接続が順接続の場合を表し、図３が逆接続の場合を表している。例えば図３に示すように逆接続された場合、ＰＤコントローラ（Ｔｙｐｅ−Ｃ／ＰＤ  Ｃｏｔｒｏｌｌｅｒ）３は、ＭＣＵ２に対して順接続・逆接続を通知することができる。このため、図３のケースにおいて、ＭＣＵ２は、ＵＳＢ  Ｔｙｐｅ−Ｃケーブル１０が逆接続であることを認識することができる。この場合、ＭＣＵ２は、ＧＰＩＯ１とＧＰＩＯ２の制御を、順接続の時と逆に切り替えることで、ＬＥＤ１、ＬＥＤ２に正しくステータスを表示することができる。
【００４２】
ＬＥＤ１，ＬＥＤ２の制御は、充電キャビネット１００における制御装置１から実施するため、ＬＥＤ１，ＬＥＤ２のカソードのラインをＳＢＵ１、ＳＢＵ２の信号線（制御線Ｌ１，Ｌ２）として充電キャビネット１００における制御装置１まで接続し、制御装置１に搭載したＭＣＵ２からＧＰＩＯ（ＧＰＩＯ１とＧＰＩＯ２）でＦＥＴ１、ＦＥＴ２のゲート信号を制御することで、ＬＥＤ１、ＬＥＤ２の制御を行う。
【００４３】
ＰＤコントローラ３及びＰＤコントローラ２３がＴｙｐｅ−Ｃコネクタ１２，１１の接続を検知すると、両者間で接続検知後処理が開始され、表裏の検出、電源電圧／電流およびその方向、ＵＳＢ／ＤＰ信号のＨｏｓｔ／Ｄｅｖｉｃｅの関係性などが決定される。この通信で充電キャビネット１００における制御装置１から情報処理装置２０へ給電が開始されたことをトリガに、ＭＣＵ２はＬＥＤ１を点灯させるために、ＧＰＩＯ１を「１」（又はＨレベル）とする。
【００４４】
バッテリ残量状態のＬＥＤ２の制御としては、先に述べた通り、Ｔｙｐｅ−Ｃ  Ｐｏｗｅｒ  Ｄｅｌｉｖｅｒｙの仕様書に規定された、ＶＤＭ（Ｖｅｎｄｏｒ  Ｄｅｆｉｎｅ  Ｍｅｓｓａｇｅ）を使ってＵＳＢ  Ｔｙｐｅ−ＣケーブルのＣＣ信号線上で通信した上で決定する手段を利用する。
【００４５】
例えば、給電状態（給電の有無）を例にとると、Ｔｙｐｅ−Ｃ／ＰＤの接続検知処理が完了した後、図５に示すように、情報処理装置２０に搭載されたＭＣＵ２２が充電制御回路２４と通信し（一般的にはＩ２Ｃインタフェース）、情報処理装置２０への給電を開始する。これに応じて、ＭＣＵ２は、図５に示すようにＧＰＩＯ１を「１」にしてスイッチ４（ＦＥＴ１）をＯＮする制御を実施する。これにより、ＬＥＤ１のカソードが制御線Ｌ１、端子Ａ８’、端子Ａ８、スイッチ４（ＦＥＴ１）経由でグランド電位に接続され、ＬＥＤ１が発光（点灯）する。
【００４６】
なお、給電状態（給電の有無）に代えて充電状態（充電の有無）に応じてＬＥＤ１を点灯制御してもよい。例えば、Ｔｙｐｅ−Ｃ／ＰＤの接続検知処理が完了した後、図５に示すように、情報処理装置２０に搭載されたＭＣＵ２２が充電制御回路２４と通信し（一般的にはＩ２Ｃインタフェース）、ＭＣＵ２２が充電状態を定期的に自身のメモリに保存する。ＭＣＵ２２とＰＤコントローラ２３は、同じく一般的にはＩ２Ｃインタフェースで接続されており、ＭＣＵ２２はＰＤコントローラ２３に対して、自身のメモリに保存した充電状態を、ＰＤコントローラ３に送信するように要求するコマンドを発行する。コマンドの定義方法は各社のＴｙｐｅ−Ｃ／ＰＤ  Ｃｏｔｒｏｌｌｅｒの仕様による。ＰＤコントローラ２３から情報処理装置２０の充電状態情報を受け取ったＰＤコントローラ３は、さらにＭＣＵ２に対して情報処理装置２０の充電状態情報を同じくＩ２Ｃインタフェースで送信することで、ＭＣＵ２は、情報処理装置２０の充電状態を把握し、充電が開始されたら、図５に示すようにＧＰＩＯ１を「１」にしてスイッチ５（ＦＥＴ２）をＯＮする制御を実施する。これにより、ＬＥＤ１のカソードが制御線Ｌ１、端子Ａ８’、端子Ａ８、スイッチ４（ＦＥＴ１）経由でグランド電位に接続され、ＬＥＤ１が発光（点灯）する。また、ＭＣＵ２は、充電が完了したら、ＧＰＩＯ１を「０」にしてスイッチ４をＯＦＦする制御を実施する。これにより、ＬＥＤ１が消灯する。
【００４７】
例えば、バッテリ残量を例にとると、Ｔｙｐｅ−Ｃ／ＰＤの接続検知処理が完了した後、図６に示すように、情報処理装置２０に搭載されたＭＣＵ２２が充電制御回路２４と通信し（一般的にはＩ２Ｃインタフェース）、ＭＣＵ２２がバッテリ残量を定期的に自身のメモリに保存する。ＭＣＵ２２とＰＤコントローラ２３は、同じく一般的にはＩ２Ｃインタフェースで接続されており、ＭＣＵ２２はＰＤコントローラ２３に対して、自身のメモリに保存したバッテリ残量を、ＰＤコントローラ３に送信するように要求するコマンドを発行する。コマンドの定義方法は各社のＴｙｐｅ−Ｃ／ＰＤ  Ｃｏｔｒｏｌｌｅｒの仕様による。ＰＤコントローラ２３から情報処理装置２０のバッテリ残量情報を受け取ったＰＤコントローラ３は、さらにＭＣＵ２に対して情報処理装置２０のバッテリ残量情報を同じくＩ２Ｃインタフェースで送信することで、ＭＣＵ２は情報処理装置２０のバッテリ残量を把握し、バッテリ残量がＭＣＵ２のＦＷ（ＦｉｒｍＷａｒｅ）で予め定義された閾値に達したら、図６に示すようにＧＰＩＯ２を「１」にしてスイッチ５（ＦＥＴ２）をＯＮする制御を実施する。これにより、ＬＥＤ２のカソードが制御線Ｌ２、端子Ｂ８’、端子Ｂ８、スイッチ５経由でグランド電位に接続され、ＬＥＤ２が発光（点灯）する。
【００４８】
なお、上記では、情報処理装置２０から充電キャビネット１００における制御装置１に積極的にデータを送信するケースで説明したが、充電キャビネット１００の制御装置１から情報処理装置２０にデータを要求し、要求ベースで情報処理装置２０側がデータを返す手法をとっても良い。
【００４９】
次に、制御システム３０の動作について図７を用いて説明する。図７は、制御システム３０の動作を示すフローチャートである。
【００５０】
制御システム３０において、制御装置１は、ＭＣＵ２を起動すると（Ｓ１）、初期値としてＭＣＵ２におけるＧＰＩＯ１，ＧＰＩＯ２のそれぞれに「０」をセットする（Ｓ２）。制御装置１は、ＵＳＢ  Ｔｙｐｅ−Ｃケーブルの接続を検知すると（Ｓ３）、ＰＤコントローラ３からＰＤコントローラ２３への通信を行わせ、情報処理装置２０への給電を開始する（Ｓ４）。制御装置１は、ＵＳＢ  Ｔｙｐｅ−Ｃコネクタの接続が順接続か否かを判断する（Ｓ５）。
【００５１】
順接続であれば（Ｓ５でＹｅｓ）、制御装置１は、ＧＰＩＯ１を「１」にしてスイッチ４（ＦＥＴ１）をＯＮする制御を実施する（Ｓ６）。これにより、ＬＥＤ１のカソードが制御線Ｌ１、端子Ａ８’、端子Ａ８、スイッチ４経由でグランド電位に接続され、ＬＥＤ１が発光（点灯）する。
【００５２】
逆接続であれば（Ｓ５でＮｏ）、制御装置１は、ＧＰＩＯ１を「１」にしてスイッチ５（ＦＥＴ２）をＯＮする制御を実施する（Ｓ７）。これにより、ＬＥＤ１のカソードが制御線Ｌ１、端子Ａ８’、端子Ｂ８、スイッチ５経由でグランド電位に接続され、ＬＥＤ１が発光（点灯）する。
【００５３】
そして、制御装置１は、ＶＤＭ通信を行い、ＭＣＵ２２から情報処理装置２０のバッテリ残量情報を（例えば、１回／分の周期で）受け（Ｓ８）、バッテリ残量情報に基づいて、バッテリ残量が閾値に達したか否かを判断する（Ｓ９）。
【００５４】
バッテリ残量が閾値に達したら（Ｓ９でＹｅｓ）、制御装置１は、ＵＳＢ  Ｔｙｐｅ−Ｃコネクタの接続が順接続か否かを判断する（Ｓ１０）。
【００５５】
順接続であれば（Ｓ１０でＹｅｓ）、制御装置１は、ＧＰＩＯ２を「１」にしてスイッチ５をＯＮする制御を実施する（Ｓ１１）。これにより、ＬＥＤ２のカソードが制御線Ｌ２、端子Ｂ８’、端子Ｂ８、スイッチ５経由でグランド電位に接続され、ＬＥＤ２が発光（点灯）する。
【００５６】
逆接続であれば（Ｓ１０でＮｏ）、制御装置１は、ＧＰＩＯ２を「１」にしてスイッチ４をＯＮする制御を実施する（Ｓ１２）。これにより、ＬＥＤ２のカソードが制御線Ｌ２、端子Ｂ８’、端子Ａ８、スイッチ４経由でグランド電位に接続され、ＬＥＤ２が発光（点灯）する。
【００５７】
バッテリ残量が閾値に達していなければ（Ｓ９でＮｏ）、制御装置１は、ＵＳＢ  Ｔｙｐｅ−Ｃコネクタ１２，１１の接続が順接続か否かを判断する（Ｓ１３）。
【００５８】
順接続であれば（Ｓ１３でＹｅｓ）、制御装置１は、ＧＰＩＯ２を「０」に維持してスイッチ５をＯＦＦ状態に維持する制御を実施する（Ｓ１４）。これにより、ＬＥＤ２が消灯状態に維持される。
【００５９】
逆接続であれば（Ｓ１３でＮｏ）、制御装置１は、ＧＰＩＯ２を「０」に維持してスイッチ４をＯＦＦ状態に維持する制御を実施する（Ｓ１５）。これにより、ＬＥＤ２が消灯状態に維持される。
【００６０】
制御装置１は、ＵＳＢ  Ｔｙｐｅ−Ｃコネクタ１２，１１が抜き取られたか否かを判断し（Ｓ１６）、抜き取られていなければ（Ｓ１６でＮｏ）、処理をＳ２に戻し、抜き取られたら（Ｓ１６でＹｅｓ）、処理を終了する。
【００６１】
以上のように、実施形態では、制御システム３０において、ケーブル１０を介して情報処理装置２０から充電に関する状態を示す情報を取得し、その情報に応じてケーブル１０における情報処理装置２０側のコネクタ部の表示灯を点灯制御する。これにより、情報処理装置２０の充電に関する状態を正確に把握できる。例えば、学校現場などに置いて、充電キャビネットに収納された情報処理装置２０が、すでに使える状態にあるかをユーザーが手元に容易に確認することができる。
【００６２】
また、実施形態では、コネクタ部１１には、複数の表示灯１１１，１１２が配され、制御回路９は、情報処理装置２０からケーブル１０及びインタフェース部６を介して第１の情報と第２の情報とを取得する。第１の情報は、情報処理装置２０の充電に関する１つの状態を示し、第２の情報は、情報処理装置２０の充電に関する他の状態を示す。制御回路９は、第１の情報に応じて表示灯１１１を点灯制御するとともに第２の情報に応じて表示灯１１２を点灯制御する。これにより、複数の表示灯１１１，１１２で充電に関する異なる複数の状態を表示できる。
【００６３】
また、実施形態では、制御回路９は、複数の点灯形態のうち第１の情報で示される状態に対応する点灯形態で表示灯１１１を点灯制御する。これにより、第１の情報で示される状態の内容を表示灯１１１が複数の点灯形態のうちどの点灯形態で点灯されているかで示すことができる。
【００６４】
また、実施形態では、制御回路９は、複数の点灯形態のうち第１の情報で示される状態に対応する点灯形態で表示灯１１１を点灯制御し、複数の点灯形態のうち第２の情報で示される状態に対応する点灯形態で表示灯１１２を点灯制御する。これにより、第１の情報で示される状態の内容を表示灯１１１が複数の点灯形態のうちどの点灯形態で点灯されているかで示すことができ、第２の情報で示される状態の内容を表示灯１１２が複数の点灯形態のうちどの点灯形態で点灯されているかで示すことができる。この結果、複数の表示灯１１１，１１２で充電に関する異なる複数の状態を表示できる。
【００６５】
また、実施形態では、表示灯１１１は、ケーブル１０における定電源が供給されるラインＬＶｃｏｎｎにアノードが接続されたＬＥＤ１（発光ダイオード）を有し、制御回路９は、ラインＬＶｃｏｎｎに定電源を供給してＬＥＤ１を点灯制御する。これにより、ＬＥＤ１を安定的に点灯制御することができる。
【００６６】
また、実施形態では、インタフェース部６は、端子Ａ８を有し、制御回路９は、端子Ａ８をグランド電位に接続するスイッチ４を有し、ＬＥＤ１のカソードが端子Ａ８に電気的に接続された場合、スイッチ４をオンオフ制御してＬＥＤ１を点灯制御する。これにより、制御回路９は、ケーブル１０の外部からケーブル１０におけるコネクタ部１１に配されたＬＥＤ１を点灯制御することができる。
【００６７】
また、実施形態では、ラインＬＶｃｏｎｎは、ケーブル１０のケイパビリティ情報が格納されたメモリ（ＥＭＣＡ１１７）が配され、メモリ及びＬＥＤ１に定電源を供給するためのラインとして兼用される。これにより、低コストでＬＥＤ１を点灯制御することができる。
【００６８】
また、実施形態では、制御回路９は、インタフェース部６に接続されるコネクタ部１２の向きを検出し、検出された向きに基づいて、第１の情報に応じた表示灯１１１の点灯制御と第２の情報に応じた表示灯１１２の点灯制御とを維持する。これにより、複数の表示灯１１１，１１２で充電に関する異なる複数の状態をそれぞれ継続的に表示できる。
【００６９】
また、実施形態では、表示灯１１１は、ケーブル１０における定電源が供給されるラインＬＶｃｏｎｎにアノードが接続されたＬＥＤ１を有し、表示灯１１２は、ラインＬＶｃｏｎｎにアノードが接続されたＬＥＤ２を有し、制御回路９は、ラインＬＶｃｏｎｎに定電源を供給してＬＥＤ１及びＬＥＤ２のそれぞれを点灯制御する。これにより、低コストでＬＥＤ１及びＬＥＤ２をそれぞれ点灯制御することができる。
【００７０】
また、実施形態では、インタフェース部６は、端子Ａ８及び端子Ｂ８を有し、制御回路９は、端子Ａ８をグランド電位に接続するスイッチ４と端子Ｂ８をグランド電位に接続するスイッチ５とを有する。制御回路９は、ＬＥＤ１のカソードが端子Ａ８に電気的に接続されＬＥＤ２のカソードが端子Ｂ８に電気的に接続された場合、第１の情報に応じてスイッチ４をオンオフ制御してＬＥＤ１を点灯制御するとともに第２の情報に応じてスイッチ５をオンオフ制御してＬＥＤ２を点灯制御する。制御回路９は、ＬＥＤ１のカソードが端子Ｂ８に電気的に接続されＬＥＤ２のカソードが端子Ａ８に電気的に接続された場合、第１の情報に応じてスイッチ５をオンオフ制御してＬＥＤ１を点灯制御するとともに第２の情報に応じてスイッチ４をオンオフ制御してＬＥＤ２を点灯制御する。これにより、検出された向きに基づいて、第１の情報に応じた表示灯１１１の点灯制御と第２の情報に応じた表示灯１１２の点灯制御とを維持できる。
【００７１】
また、実施形態では、制御システム３０は、制御装置１とケーブル１０とを有し、ケーブル１０は、情報処理装置２０が接続されるコネクタ部１１とコネクタ部１１の反対側に設けられ制御装置１が接続されるコネクタ部１２とを有し、コネクタ部１１には、表示灯１１１，１１２が配されている。これにより、情報処理装置２０の使用者が一目で情報処理装置２０の充電に関する状態を認識できる。
【００７２】
なお、また、充電キャビネット１００側をＭＣＵでなくコンピュータなどにして、より上位のレイヤー（例えば、アプリケーションレイヤー）で制御をすれば、バッテリ残量だけでなく、授業に必要な資料配信が完了しているかなどを通知することも可能である。すなわち、情報処理装置２０から取得された情報に応じてコネクタ部の表示灯を点灯制御するので、充電に関する状態以外にも、情報処理装置２０のさまざまな状態（セキュリティ・故障など）などに用途を広げることが可能である。
【００７３】
また、実施形態では、情報処理装置２０のバッテリ残量を充電キャビネット１００における制御装置１及び情報処理装置２０間の通信によって制御する場合について例示している。充電キャビネット１００には、図８に示すように、インターネット２００と接続されたアクセスポイント１１０を搭載してもよい。例えば、充電キャビネット１００に収納されている情報処理装置２０に対して、インターネット２００からアクセスポイント１１０を経由して無線ＬＡＮ接続でセキュリティのＵｐｄａｔｅなどを実行することもできる。制御装置１は、ＶＤＭ通信を行い、無事にセキュリティのＵｐｄａｔｅが完了したか否かの情報を情報処理装置２０から取得し、無事にセキュリティのＵｐｄａｔｅが完了した情報処理装置２０に対応したＵＳＢ  Ｔｙｐｅ−ＣケーブルのＬＥＤを点灯させ、利用者にどの情報処理装置２０がセキュリティ的に問題ないかを通知することもできる。
【００７４】
上述の実施形態では、２つの表示灯１１１、１１２を備えるケーブル１０を例に挙げて説明したが、表示灯の数は２つに限定されない。例えば、表示灯は１つであってもよい。この場合、制御回路９は、例えば、充電中か非充電中かで表示灯の点灯を制御してよい。また、３つ以上の表示灯がケーブルに設けられていてもよい。
【００７５】
上述の実施形態では、間隔を空けて配置された２つのＬＥＤ１、ＬＥＤ２が分離した２つの開口または窓から光を照射する例を挙げたが、ＬＥＤ１、ＬＥＤ２の配置等はこの例に限定されない。例えば、近接した位置に配置されたＬＥＤ１、ＬＥＤ２が、同じ開口から光を照射してもよい。この場合、ＬＥＤ１が照射する光を赤、ＬＥＤ２が照射する光を緑とすれば、ＬＥＤ１、ＬＥＤ２を同時に光らせた場合に橙の光を照射させることができる。これにより、２つのＬＥＤ１、ＬＥＤ２によって３個の状態を表示することができる。
【符号の説明】
【００７６】
１  制御装置
４，５  スイッチ
６  インタフェース部
９  制御回路
１０  ケーブル
１１  コネクタ部
１２  コネクタ部
２０  情報処理装置
１００  充電キャビネット
１１１，１１２  表示灯
１１７  ＥＭＣＡ
ＬＶｃｏｎｎ  ライン
ＬＥＤ１，ＬＥＤ２  発光ダイオード
Ａ８，Ｂ８  端子
【図１】
2020089217.tif 000003
【図２】
2020089217.tif 000004
【図３】
2020089217.tif 000005
【図４】
2020089217.tif 000006
【図５】
2020089217.tif 000007
【図６】
2020089217.tif 000008
【図７】
2020089217.tif 000009
【図８】
2020089217.tif 000010
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
情報処理装置に接続される第１のコネクタ部と前記第１のコネクタ部の反対側に設けられた第２のコネクタ部とを有し前記第１のコネクタ部に第１の表示灯が配されたケーブルにおける前記第２のコネクタ部が接続可能であるインタフェース部と、
前記情報処理装置から前記ケーブル及び前記インタフェース部を介して前記情報処理装置の充電に関する状態を示す第１の情報を取得し、前記第１の情報に応じて、前記ケーブルのケイパビリティ情報が格納されたメモリが配され前記メモリ及び前記第１の表示灯に定電源を供給するためのラインとして兼用される第１のラインを介して前記第１の表示灯を点灯制御する制御回路と、
を備えた制御装置。
【請求項２】
情報処理装置に接続される第１のコネクタ部と前記第１のコネクタ部の反対側に設けられた第２のコネクタ部とを有し前記第１のコネクタ部に第１の表示灯及び第２の表示灯が配されたケーブルにおける前記第２のコネクタ部が接続可能であるインタフェース部と、
前記情報処理装置から前記ケーブル及び前記インタフェース部を介して前記情報処理装置の充電に関する状態を示す第１の情報及び第２の情報を取得し、前記インタフェース部に接続される前記第２のコネクタ部の向きを検出し、検出された向きに基づいて、前記第１の情報に応じた前記第１の表示灯の点灯制御と前記第２の情報に応じた前記第２の表示灯の点灯制御とが維持されるように前記第１の表示灯及び前記第２の表示灯をそれぞれ点灯制御する制御回路と、
を備えた制御装置。
【請求項３】
前記第１のコネクタ部には、第２の表示灯がさらに配され、
前記制御回路は、前記情報処理装置から前記ケーブル及び前記インタフェース部を介して前記第１の情報と第２の情報とを取得し、
前記第２の情報は、前記情報処理装置の充電に関する他の状態を示し、
前記制御回路は、前記第１の情報に応じて前記第１の表示灯を点灯制御するとともに前記第２の情報に応じて前記第２の表示灯を点灯制御する
請求項１に記載の制御装置。
【請求項４】
前記制御回路は、複数の点灯形態のうち前記第１の情報で示される状態に対応する点灯形態で前記第１の表示灯を点灯制御する
請求項１又は２に記載の制御装置。
【請求項５】
前記制御回路は、複数の点灯形態のうち前記第１の情報で示される状態に対応する点灯形態で前記第１の表示灯を点灯制御し、複数の点灯形態のうち前記第２の情報で示される状態に対応する点灯形態で前記第２の表示灯を点灯制御する
請求項３に記載の制御装置。
【請求項６】
前記第１の表示灯は、前記ケーブルにおける定電源が供給される第１のラインにアノードが接続された第１の発光ダイオードを有し、
前記制御回路は、前記第１のラインに定電源を供給して前記第１の発光ダイオードを点灯制御する
請求項１又は２に記載の制御装置。
【請求項７】
前記インタフェース部は、第１の端子を有し、
前記制御回路は、前記第１の端子をグランド電位に接続するスイッチを有し、前記第１の発光ダイオードのカソードが前記第１の端子に電気的に接続された場合、前記スイッチをオンオフ制御して前記第１の発光ダイオードを点灯制御する
請求項６に記載の制御装置。
【請求項８】
前記第１の表示灯は、前記ケーブルにおける定電源が供給される第１のラインにアノードが接続された第１の発光ダイオードを有し、
前記第２の表示灯は、前記第１のラインにアノードが接続された第２の発光ダイオードを有し、
前記制御回路は、前記第１のラインに定電源を供給して前記第１の発光ダイオード及び前記第２の発光ダイオードのそれぞれを点灯制御する
請求項５に記載の制御装置。
【請求項９】
前記インタフェース部は、第１の端子及び第２の端子を有し、
前記制御回路は、前記第１の端子をグランド電位に接続する第１のスイッチと前記第２の端子をグランド電位に接続する第２のスイッチとを有し、
前記制御回路は、前記第１の発光ダイオードのカソードが前記第１の端子に電気的に接続され前記第２の発光ダイオードのカソードが前記第２の端子に電気的に接続された場合、前記第１の情報に応じて前記第１のスイッチをオンオフ制御して前記第１の発光ダイオードを点灯制御するとともに前記第２の情報に応じて前記第２のスイッチをオンオフ制御して前記第２の発光ダイオードを点灯制御し、前記第１の発光ダイオードのカソードが前記第２の端子に電気的に接続され前記第２の発光ダイオードのカソードが前記第１の端子に電気的に接続された場合、前記第１の情報に応じて前記第２のスイッチをオンオフ制御して前記第１の発光ダイオードを点灯制御するとともに前記第２の情報に応じて前記第１のスイッチをオンオフ制御して前記第２の発光ダイオードを点灯制御する
請求項８に記載の制御装置。
【請求項１０】
請求項１から９のいずれか１項に記載の制御装置と、
情報処理装置が接続される第１のコネクタ部と前記第１のコネクタ部の反対側に設けられ前記制御装置が接続される第２のコネクタ部とを有し前記第１のコネクタ部に第１の表示灯が配されたケーブルと、
を備えた制御システム。
【手続補正２】
【補正対象書類名】明細書
【補正対象項目名】０００６
【補正方法】変更
【補正の内容】
【０００６】
本願の開示する制御装置は、一つの態様において、情報処理装置に接続される第１のコネクタ部と前記第１のコネクタ部の反対側に設けられた第２のコネクタ部とを有し前記第１のコネクタ部に第１の表示灯が配されたケーブルにおける前記第２のコネクタ部が接続可能であるインタフェース部と、前記情報処理装置から前記ケーブル及び前記インタフェース部を介して前記情報処理装置の充電に関する状態を示す第１の情報を取得し、前記第１の情報に応じて、前記ケーブルのケイパビリティ情報が格納されたメモリが配され前記メモリ及び前記第１の表示灯に定電源を供給するためのラインとして兼用される第１のラインを介して前記第１の表示灯を点灯制御する制御回路とを有する。
本願の開示する制御装置は、一つの態様において、情報処理装置に接続される第１のコネクタ部と前記第１のコネクタ部の反対側に設けられた第２のコネクタ部とを有し前記第１のコネクタ部に第１の表示灯及び第２の表示灯が配されたケーブルにおける前記第２のコネクタ部が接続可能であるインタフェース部と、前記情報処理装置から前記ケーブル及び前記インタフェース部を介して前記情報処理装置の充電に関する状態を示す第１の情報及び第２の情報を取得し、前記インタフェース部に接続される前記第２のコネクタ部の向きを検出し、検出された向きに基づいて、前記第１の情報に応じた前記第１の表示灯の点灯制御と前記第２の情報に応じた前記第２の表示灯の点灯制御とが維持されるように前記第１の表示灯及び前記第２の表示灯をそれぞれ点灯制御する制御回路とを有する。